(57)【要約】【課題】  洪水や津波などの災害時に避難の助けになる物置小屋の提供。【解決手段】  床部１と小屋部２とボート部３とを備え、小屋部２は、床部１上に固定設置したものであり、戸４の付いた前壁５と左右の側壁６，６と屋根７とを有し、ボート部３は、小屋部２の後方にくっつけて立てた状態で配置され、小屋部２の側壁６，６に固定具８で固定してあり、固定具８を外すことでボート部３を分離可能である。【選択図】      図１
2017025571.tif 000002
【特許請求の範囲】
【請求項１】
床部と小屋部とボート部とを備え、小屋部は、床部上に固定設置したものであり、戸の付いた前壁と左右の側壁と屋根とを有し、ボート部は、小屋部の後方にくっつけて立てた状態で配置され、小屋部の側壁に固定具で固定してあり、固定具を外すことでボート部を分離可能であることを特徴とする物置小屋。
【請求項２】
床部と小屋部とボート部とを備え、小屋部は、床部上に固定設置したものであり、戸の付いた前壁と後壁と左右の側壁と屋根とを有し、ボート部は、小屋部の後方にくっつけて立てた状態で配置され、小屋部の側壁に固定具で固定してあり、固定具を外すことでボート部を分離可能であることを特徴とする物置小屋。
【請求項３】
ボート部に車輪と牽引用のロープを備えることを特徴とする請求項１又は２記載の物置小屋。
【発明の詳細な説明】
【技術分野】
【０００１】
本発明は、洪水や津波などの災害時に避難の助けになる物置小屋に関する。
【背景技術】
【０００２】
ゲリラ豪雨や台風などによる洪水や、大地震による津波によって、家屋が浸水することがある。この場合、迅速に避難することが必要であるが、水が来てしまうと避難することが困難になる。
また、住宅の敷地の一角に物置小屋を設置することがあるが、従来の物置小屋は非常食や水などの防災グッズを入れておくのに利用されるくらいで、避難の助けになるものではなかった。
【発明の概要】
【発明が解決しようとする課題】
【０００３】
本発明は以上に述べた実情に鑑み、洪水や津波などの災害時に避難の助けになる物置小屋の提供を目的とする。
【課題を解決するための手段】
【０００４】
上記の課題を達成するために請求項１記載の発明による物置小屋は、床部と小屋部とボート部とを備え、小屋部は、床部上に固定設置したものであり、戸の付いた前壁と左右の側壁と屋根とを有し、ボート部は、小屋部の後方にくっつけて立てた状態で配置され、小屋部の側壁に固定具で固定してあり、固定具を外すことでボート部を分離可能であることを特徴とする。
【０００５】
請求項２記載の発明による物置小屋は、床部と小屋部とボート部とを備え、小屋部は、床部上に固定設置したものであり、戸の付いた前壁と後壁と左右の側壁と屋根とを有し、ボート部は、小屋部の後方にくっつけて立てた状態で配置され、小屋部の側壁に固定具で固定してあり、固定具を外すことでボート部を分離可能であることを特徴とする。
【０００６】
請求項３記載の発明による物置小屋は、請求項１又は２記載の発明の構成に加え、ボート部に車輪と牽引用のロープを備えることを特徴とする。
【発明の効果】
【０００７】
請求項１記載の発明による物置小屋は、小屋部とボート部を前後にくっつけて設けてあり、洪水や津波などの災害時には固定具を外すことでボート部を分離できるため、ボート部に乗って住民が避難することができる。また、小屋部とボート部を一体化することで、収納スペースを広くできる。ボート部は、小屋部の後方に配置されているため、正面から見ると普通の物置小屋と変わりなく見える。
【０００８】
請求項２記載の発明による物置小屋は、小屋部とボート部を前後にくっつけて設けてあり、洪水や津波などの災害時には固定具を外すことでボート部を分離できるため、ボート部に乗って住民が避難することができる。また、小屋部は収納スペースが独立して構成されているため、ボート部をレジャー等に用いることも容易となる。ボート部は、小屋部の後方に配置されているため、正面から見ると普通の物置小屋と変わりなく見える。
【０００９】
請求項３記載の発明による物置小屋は、ボート部に車輪と牽引用のロープを備えることで、水が来ていないときにボート部に足の不自由な人などを乗せて避難することも可能になる。
【図面の簡単な説明】
【００１０】
【図１】（ａ）は本発明の物置小屋の第１実施形態を示す正面図であり、（ｂ）は同物置小屋の側面図である。
【図２】図１のＡ−Ａ断面図である。
【図３】ボート部を小屋部と分離し、水に浮かべた状態を示す側面図である。
【図４】ボート部を小屋部と分離し、地面の上を転がして移動するときの状態を示す側面図である。
【図５】本発明の物置小屋の第２実施形態を示す縦断面図である。
【図６】本発明の物置小屋の他の実施形態を示す側面図である。
【発明を実施するための形態】
【００１１】
以下、本発明の実施の形態を図面に基づいて説明する。図１，２は、本発明に係る物置小屋の第１実施形態を示している。この物置小屋は、床部１と小屋部２とボート部３とから成る。物置小屋のサイズは、横幅が１２００ｍｍ、高さが２３００ｍｍ、奥行きが１４００ｍｍとなっている。
【００１２】
床部１は、方形に組んだスチール製の枠１２の上に床板１３を並べて取付けて構成される。小屋部２は、床部１上の前側に固定設置したものであり、観音開き状に開く戸４，４の付いた前壁５と、左右の側壁６，６と、屋根７とを有している。小屋部２は、床部１の周囲に複数本の柱１４を立設し、柱１４の上端部に固定して上枠１５を取付け、柱１４と上枠１５と床部１とにボルト等で固定して前壁５と左右の側壁６，６を取付け、上枠１５に屋根パネル１６を取付けて構成される。小屋部２は、後面が開放しており、左右の側壁６，６の後側の縁部には、ボート部３を固定するための耳部１７が複数形成してある。
【００１３】
ボート部３は、ＦＲＰで一体成形したものであり、小屋部２の後方にくっつけて床部１上に立てた状態で配置されており、ボート部３で小屋部２の後側の開放部を塞いでいる。ボート部３は、左右の側壁１８の縁部１８ａが小屋部２の側壁６の内側にラップさせてあり、またボート部３の先端部３ａは小屋部２の屋根７の下側にラップさせてある。これにより、小屋部２とボート部３との間から雨水等が浸入するのを防ぐことができる。ボート部３は、小屋部２の側壁６に設けた耳部１７に外側から挿入するノブボルト８により、小屋部２と着脱自在に一体化してあり、ノブボルト８を外すことで工具レスで小屋部２と分離できるようになっている。ボート部３は、底面の前後２箇所に車輪１０が設けてあり、先端部３ａには牽引用のロープ１１が取付けてある。
【００１４】
本物置小屋を住宅の敷地の一角に設置しておけば、洪水や津波などの災害時に、図３に示すように、ノブボルト８を外してボート部３を分離して水１９に浮かべ、ボート部３に乗って避難することができる。ボート部３には車輪１０と牽引用のロープ１１を備えているので、図４に示すように、水が来ていないときにボート部３に足の不自由な人などを乗せ、地面２０の上を転がしながら避難することも可能である。本物置小屋は、小屋部２とボート部３を一体化して一つの収納空間２１が構成され、ボート部３内にも物を収納することができるので、収納スペースを広くできる。ボート部３は、小屋部２の後方に配置されているため、図１（ａ）に示すように、正面から見ると普通の物置小屋と変わりなく見える。小屋部２とボート部３を一体の床部１上に設置したので、ボート部３を小屋部２と体裁良く一体化できると共に、ボート部３が汚れたり損傷したりするのを防止できる。
【００１５】
図５は、本発明に係る物置小屋の第２実施形態を示している。第１実施形態のものは、小屋部２の後側が開放していたが、本実施形態のものは小屋部２に後壁９を設け、ボート部３とは独立した収納空間２１が構成されている。
本実施形態によれば、ボート部３を分離しても小屋部２内に雨や風が入る心配がないので、ボート部３をレジャー等に用いることも容易となる。
【００１６】
図６は、本発明の物置小屋の他の実施形態を示している。図６（ａ）は、床部１が小屋部２の後面までしかなく、ボート部３は地面に載せて設置してある。図６（ｂ）は、床部１が小屋部２の後面までしかなく、ボート部３は地面に置いたブロック２２に載せて設置してある。これらの実施形態によれば、床部１の面積が小さくなるため、コストを抑えられる。
【００１７】
本発明は以上に述べた実施形態に限定されない。小屋部やボート部の形状、大きさ、材質等は問わない。ボート部を小屋部に固定するための固定具は、適宜変更することができる。
【符号の説明】
【００１８】
１  床部
２  小屋部
３  ボート部
４  戸
５  前壁
６  側壁
７  屋根
８  ノブボルト（固定具）
９  後壁
１０  車輪
１１  ロープ
【図１】
2017025571.tif 000003
【図２】
2017025571.tif 000004
【図３】
2017025571.tif 000005
【図４】
2017025571.tif 000006
【図５】
2017025571.tif 000007
【図６】
2017025571.tif 000008